(57)【要約】【課題】  医師の必要とする画像を精度良く撮影者に伝達し、医師の意図通りの撮影画像を取得する。【解決手段】  本発明の撮影装置は、撮影すべき被験者の部位を示す指示図を取得する取得手段と、前記取得された指示図と、過去に撮影された前記被験者の画像に基づいて付与される警告とを表示する表示手段とを備え、前記取得手段は、前記表示手段が前記指示図と前記警告とを表示した状態で、撮影指示を受け付ける。【選択図】  図１
2015172891.tif 000002
【特許請求の範囲】
【請求項１】
撮影すべき被験者の部位を示す指示図を取得する取得手段と、
前記取得された指示図と、過去に撮影された前記被験者の画像に基づいて付与される警告とを表示する表示手段とを備え、
前記取得手段は、前記表示手段が前記指示図と前記警告とを表示した状態で、撮影指示を受け付けることを特徴とする撮影装置。
【請求項２】
前記指示図は、撮影時の被験者の姿勢、撮影装置の位置、および撮影装置の方向の少なくとも１つを表すことを特徴とする請求項１に記載の撮影装置。
【請求項３】
前記表示手段は、さらに、撮影部位、撮影枚数、撮影体位の内の少なくとも１つを表示することを特徴とする請求項１または２に記載の撮影装置。
【請求項４】
撮影者の本人確認を行う手段をさらに備え、
前記表示手段は、前記本人確認に基づいて、撮影者ごとに前記警告の表示を変更することを特徴とする請求項１〜３のいずれか１項に記載の撮影装置。
【請求項５】
前記撮影者を前記指示図に関連付けて保存する手段をさらに備えることを特徴とする請求項４に記載の撮影装置。
【請求項６】
前記指示図に対する前記被験者の主訴を前記指示図に関連付けて保存する手段をさらに備えることを特徴とする請求項１〜５のいずれか１項に記載の撮影装置。
【請求項７】
撮影装置とクライアント装置を含む撮影処理システムであって、
前記クライアント装置は、
被験者の撮影部位を含む撮影指示を入力する手段と、
前記被験者の情報と前記入力された撮影指示から過去に使用された指示図を取得する手段と、
前記取得された指示図から、前記被験者の情報をもとに、撮影に使用する指示図を指定する手段と、
前記指定された指示図を含む撮影指示を前記撮影装置に送信する手段とを備えることを特徴とする撮影処理システム。
【請求項８】
前記被験者の情報は、被験者の身長、体重、年齢、性別、病状、病歴のうちの少なくとも１つであることを特徴とする請求項７に記載の撮影処理システム。
【請求項９】
前記過去に使用された指示図を表示する表示手段をさらに備え、
前記表示手段は、前記被験者の情報と被験者の主訴をもとに前記過去に使用された指示図を並び替えて表示することを特徴とする請求項７または８に記載の撮影処理システム。
【請求項１０】
撮影すべき被験者の部位を示す指示図を取得するステップと、
前記取得された指示図と、過去に撮影された前記被験者の画像に基づいて付与される警告とを表示するステップとを備え、
前記取得するステップは、前記指示図と前記警告とが表示された状態で、撮影指示を受け付けることを特徴とする撮影方法。
【請求項１１】
請求項１０に記載の撮影方法をコンピュータに実行させるプログラム。
【発明の詳細な説明】
【技術分野】
【０００１】
本発明は、医療現場でのデジタルカメラによる撮影方法に関する。
【背景技術】
【０００２】
近年、病院などの医療機関において情報化が進み、患者の診断情報を管理する電子カルテを導入する機関が増えている。電子カルテ上には、患者の診断履歴、投薬情報、手術情報、患部画像、Ｘ線画像などが一元管理され、データの共有や再利用が簡単にできるようになってきている。また、近年のストレージの大容量化によって、患部などのデジタル画像を大量に撮影して電子カルテに格納できるようになった。
【０００３】
このような環境の中で、デジタルカメラを利用して患者を撮影し、撮影した画像を診療の記録として電子カルテに格納するような利用法が頻繁に行われている。特に皮膚科や外科、介護の現場では、患者の傷口や手術痕、褥瘡（床ずれ）を定期的にデジタルカメラで撮影し、患部の経時変化を観察することが行われている。
【０００４】
このようなデジタルカメラの利用シーンでは、必ずしも診察した医師が撮影するとは限らない。医師の指示の元に院内の撮影スタッフ、看護師、或いは院外の訪問看護師などが撮影する場合がある。この場合、医師が対象患者の名前、ＩＤ等の基本情報に加え、撮影部位、枚数等の撮影指示を発行し、撮影者が医師の指示を確認しながら撮影する必要がある。このような利用シーンに対し、特許文献１では、医師の撮影オーダ発行の際に患者の３次元画像を画面に表示し、医師が画像上の撮影部位を直接指定することにより簡単にオーダが発行される患者部位指定入力方法が提案されている。
【０００５】
また、医師の指示がテキストのみで記載されている場合、撮影者は医師が必要とする画像を適切に撮影できない可能性がある。これに対して特許文献２では、医師が必要とする画像を精度良く撮影者に伝達するために、撮影部位と被写体の方向を示す画像を指示に用いる放射線画像撮影システムが提案されている。
【先行技術文献】
【特許文献】
【０００６】
【特許文献１】特開２００１−６０２３９
【特許文献２】特開２０１２−２９８９４
【発明の概要】
【発明が解決しようとする課題】
【０００７】
しかしながら、特許文献１においては、医師の撮影オーダ発行のみに言及しており、撮影者が撮影オーダを確認しながらどのように撮影するのかについては言及されていない。また、特許文献２では、医師と撮影者がリアルタイムに通信を行うことを想定しており、撮影者が医師の指示した画像を参考に撮影した撮影画像が医師の必要とする画像と大きく異なる場合については言及されていない。
【課題を解決するための手段】
【０００８】
上記の問題を解決するために、本発明は、撮影すべき被験者の部位を示す指示図を取得する取得手段と、前記取得された指示図と、過去に撮影された前記被験者の画像に基づいて付与される警告とを表示する表示手段とを備え、前記取得手段は、前記表示手段が前記指示図と前記警告とを表示した状態で、撮影指示を受け付けることを特徴とする撮影装置を提供する。
【発明の効果】
【０００９】
本発明によれば、医師の必要とする画像を精度良く撮影者に伝達し、撮影者が医師の意図通りの画像を撮影することができる。
【図面の簡単な説明】
【００１０】
【図１】本発明の第１の実施形態に係る撮影処理システムの概略構成の一例を表す模式図である。
【図２】本発明の第１の実施形態に係る撮影処理システムにおける撮影処理方法の処理手順の一例を示すフローチャートである。
【図３】図２のステップＳ２０１における撮影指示入力の処理手順の一例を表すフローチャートである。
【図４】患者情報の一例を表す模式図である。
【図５】指示図情報の一例を表す模式図である。
【図６】指示図の一例を表す模式図である。
【図７】撮影指示の一例を表す模式図である。
【図８】図２のステップＳ２０２における撮影処理手順の一例を表すフローチャートである。
【図９】図１の撮影装置１３０の表示部１３４における撮影指示の表示の一例を表す模式図である。
【図１０】図１の撮影装置１３０の表示制御部１３５が行う警告表示制御ルールの一例を表すテーブルである。
【図１１】図２のステップＳ２０３における撮影結果確認の処理手順の一例を表すフローチャートである。
【図１２】図１のクライアント装置１００の画像表示部１１２における撮影画像の表示の一例を表す模式図である。
【図１３】本発明の第２の実施形態に係る撮影処理システムにおける撮影処理手順の一例を表すフローチャートである。
【発明を実施するための形態】
【００１１】
以下に、図面を参照しながら、本発明を実施するための形態（実施形態）について説明する。なお、以下のフローチャートの説明において、各ステップはＳ２０１のように略記するものとする。
【００１２】
〔第１の実施形態〕
本実施形態は、医師の撮影指示に基づき、訪問看護師や介護士等の撮影者が撮影装置であるデジタルカメラを用いて、被験者である撮影対象患者を撮影する場合を想定した形態である。医師が、撮影すべき被験者の部位を指示するために用いる指示図には、過去に人体を撮影して得た撮影画像を用いるものとする。また撮影画像は、撮影部位の肌部を露出した状態で撮影した画像とする。
【００１３】
＜撮影処理システムの構成＞
図１は、本実施形態に係る撮影処理システム１００の概略構成の一例を示す模式図である。撮影処理システム１００は、クライアント装置１１０、画像管理サーバ装置１２０、撮影装置１３０、ネットワーク１４０、無線ネットワーク１５０を有して構成されている。クライアント装置１１０と画像管理サーバ装置１２０とは、ネットワーク１４０を通じて通信接続されている。また、画像管理サーバ装置１２０と撮影装置１３０とは、無線ネットワーク１５０を通じて無線通信接続されている。
【００１４】
クライアント装置１１０は医師が利用する装置である。クライアント装置１１０は、撮影指示入力部１１１、画像表示部１１２、画像表示制御部１１３を有して構成されている。撮影指示入力部１１１は、医師が撮影オーダ（撮影指示）、及び、患者情報などを入力するための入力手段である。画像表示部１１２は、撮影画像、及び、撮影指示を入力するためのユーザインターフェイスなどを表示する表示手段である。画像表示制御部１１３は、撮影指示格納部１２１及び患者情報格納部１２３の情報をもとに、撮影画像格納部１２２に格納される撮影画像及び指示図格納部１２４に格納される指示図の表示方法を変更する制御手段である。
【００１５】
画像管理サーバ装置１２０は、撮影画像、及び、指示図を管理する装置である。この画像管理サーバ装置１２０は、撮影指示格納部１２１、撮影画像格納部１２２、患者情報格納部１２３、指示図格納部１２４を有して構成されている。撮影指示格納部１２１は、クライアント装置１１０（撮影指示入力部１１１）で入力された撮影指示を格納する格納手段である。撮影画像格納部１２２は、撮影装置１３０（撮影部１３３）で撮影された撮影画像を格納する格納手段である。患者情報格納部１２３は患者情報を格納する格納手段である。指示図格納部１２４は、撮影指示に用いる指示図を格納する格納手段である。
【００１６】
撮影装置１３０は、被験者を撮影するカメラ（具体的には汎用デジタルカメラ）である。この撮影装置１３０は、記憶部１３１、入力部１３２、撮影部１３３、表示部１３４、表示制御部１３５、及び、指示取得部１３６を有して構成されている。記憶部１３１は、各種の情報や各種のデータ、各種のテーブル等を記憶する記憶手段である。入力部１３２は、撮影者が各種の情報や各種の指示等を入力するための入力手段である。撮影部１３３は、レンズ等の光学系を通した被写体の光学像を電子的な画像に変換する撮像センサを備える撮影手段である。表示部１３４は、撮影部１３３の撮像センサから得られるライブビュー画像及び撮影画像を表示する液晶表示画面（例えば、デジタルカメラの背面液晶）を備える表示手段である。表示制御部１３５は、記憶部１３１の各種情報をもとに表示部１３４に表示する内容を制御する制御手段である。指示取得部１３６は、画像管理サーバ装置１２０の撮影指示格納部１２１、及び、指示図格納部１２４から無線ネットワーク１５０を通じて、撮影指示、及び、指示図を取得する取得手段である。
【００１７】
＜撮影処理システムの全体処理＞
図２は、本実施形態に係る撮影処理システムにおける撮影処理方法の処理手順の一例を示すフローチャートである。
【００１８】
まず、医師がクライアント装置１１０の撮影指示入力部１１１に対して撮影指示を入力すると、Ｓ２０１において、クライアント装置１１０は、当該入力された撮影指示を受け付ける。その後、クライアント装置１１０は、当該撮影指示を、ネットワーク１４０を通して画像管理サーバ装置１２０に送信し、画像管理サーバ装置１２０は、受信した撮影指示を撮影指示格納部１２１に格納する。Ｓ２０１の詳細処理については後述する。
【００１９】
Ｓ２０２において、撮影装置１３０は、まず、無線ネットワーク１５０を通して画像管理サーバ装置１２０の撮影指示格納部１２１から撮影指示を読み込む。次に、入力部１３２によって撮影者情報と患者情報を入力する。表示制御部１３５は、前記撮影者情報と患者情報をもとに撮影指示の表示内容を制御し、表示部１３４に表示する。その後、撮影者が表示部１３４に表示された撮影指示に従って撮影操作を行うと、撮影装置１３０は、撮影部１３３によって撮影対象患者の撮影処理を行う。撮影装置１３０は、撮影処理により得た撮影対象患者の撮影画像を、無線ネットワーク１５０を介して画像管理サーバ装置１２０に送信し、撮影画像格納部１２２および患者情報格納部１２３に格納させる。Ｓ２０２の詳細処理については後述する。
【００２０】
Ｓ２０３において、医師はクライアント装置１１０によって撮影画像の確認を行う。クライアント装置１１０は、まず、ネットワーク１４０を通して画像管理サーバ装置１２０の撮影画像格納部１２２から撮影画像を読み込み、画像表示部１１２に撮影画像を表示する。医師が必要とする画像と異なる撮影画像が表示された場合、前記撮影画像に対応する指示図に対し、撮影における注意事項を入力する。Ｓ２０３の詳細処理については後述する。
【００２１】
＜撮影指示入力時の処理＞
図３は、図２のＳ２０１における撮影指示入力処理の一例を表すフローチャートである。
【００２２】
まず、Ｓ３０１において、撮影対象となる患者を選択する。患者の選択は、患者名を一覧表示したリスト、あるいは、過去に撮影した患者の読み込みなどによって行う。次に、Ｓ３０２において、画像管理サーバ装置１２０の患者情報格納部１２３から、Ｓ３０１で選択された患者の患者情報を取得する。患者情報は、患者ＩＤ、氏名、年齢、性別、身長、体重、病歴、病状などを有する。図４は、患者情報の一例を示す模式図である。
【００２３】
Ｓ３０３において、画像管理サーバ装置１２０の指示図格納部１２４から、指示図情報の一覧を取得する。図５は、指示図情報の一例を表す模式図である。指示図情報は、撮影時の患者の姿勢、カメラの位置、及び、方向を表す画像（指示図）５１１を有する。また、指示図が示す部位５１２、過去に同じ指示図を使用した撮影者ＩＤ５１３、患者ＩＤ５１４、指示図使用時の注意事項５１５、患者ＩＤの主訴５１６、撮影者ＩＤに対する医師の警告５１７などの情報を有する。部位５１２には、例えば「右掌、右肘、右腕」のように、複数の部位を設定することが可能である。注意事項５１５、主訴５１６、及び、警告５１７の付与は任意であり、それぞれ複数の項目を付与することが可能である。図６は図５（Ａ）、及び、（Ｂ）に対応する指示図の一例を表す模式図である。いずれも複数の項目を設定した場合には、使用頻度、日時、重要度、患者の病状などにより優先度を設定することで、後述する撮影処理、あるいは、撮影結果確認時の表示を変更することできる。
【００２４】
Ｓ３０４において、撮影部位を選択する。撮影部位の選択は、シェーマ図（患者絵図）上から選択する、あるいは、リストボックスから選択するなどによって行う。シェーマ図上から選択する場合は、例えば、撮影装置１３０が有する表示部１３４に表示されたシェーマ図上で撮影者が所望の撮影部位をタッチパネル機能を用いて選択する。このようにして選択された撮影部位は撮影した画像にメタ情報として付与される。また、前記患者情報をもとに、同一患者あるいは類似した患者情報を持つ患者を検索し、過去の撮影経験から撮影部位の候補を提示（指定）しても良い。また、特定の病歴、病状に対して、医師があらかじめ撮影部位をデフォルト値として設定しても良い。
【００２５】
Ｓ３０５において、Ｓ３０２で取得した患者情報、Ｓ３０３で取得した指示図情報一覧、及び、Ｓ３０４で選択した撮影部位をもとに、撮影指示に使用する指示図の候補を表示する。まず、前記選択した撮影部位、あるいは、その近傍部位などによって候補の絞り込みを行う。次に、同一患者あるいは類似した患者情報の患者に使用された指示図の優先度を高くして、患者からの主訴が付与された指示図の優先度を低くして、表示を行う。
【００２６】
Ｓ３０６において、Ｓ３０５で表示した指示図の候補から、撮影指示に使用する指示図を選択（指定）する。選択された指示図に対して、一定数以上の患者からの主訴が付与されている場合、前記指示図は指示図として不適切な画像である可能性があるため、医師に対して警告を表示し、再選択を促す。また、使用可能な指示図が無い場合には、新たに画像を指示図として登録することが可能である。この場合、指示図ＩＤの発行と部位５１２の設定を行う。また、指示図を使用しないことも可能である。
【００２７】
Ｓ３０７において、撮影指示を入力する。図７は、撮影指示の一例を示す模式図である。撮影指示は、撮影部位７０１、撮影枚数７０２、撮影体位７０３、指示図ＩＤなどの情報を有する。撮影部位７０１は、Ｓ３０４で選択した部位を参照し、自動入力することが可能である。
【００２８】
Ｓ３０８において、全ての撮影指示入力が終了したか判定を行う。終了であればＳ３０９に移る。未終了であればＳ３０４に戻り、次の撮影指示の入力を行う。最後に、Ｓ３０９において、全ての撮影指示を画像管理サーバ装置１２０（撮影指示格納部１２１）に格納する。
【００２９】
なお、Ｓ３０２、及び、Ｓ３０３は、システムのバックグラウンドで行われる処理であり、Ｓ３０５以前であれば、任意のタイミングで行うことが可能である。
【００３０】
＜撮影時の処理＞
図８は、図２のＳ２０２における撮影処理の一例を表すフローチャートである。撮影処理では、撮影者に応じて撮影指示の表示内容を変化させ、指示図に問題があれば、その問題を医師にフィードバックする仕組みを実現する。
【００３１】
まず、Ｓ８０１において、撮影対象となる患者の認証を行う。認証は、撮影者による患者の本人確認、ＩＣタグによる認証、顔認証、声帯認証、あるいは、指紋認証などによって行う。次に、Ｓ８０２において、撮影者の認証を行う（患者の認証と同様の手段を用いる）。また、Ｓ８０３において、指示取得部１３６によって、画像管理サーバ装置１２０の撮影指示格納部１２１、及び、指示図格納部１２４から無線ネットワーク１５０を通じて、撮影指示、及び、指示図のロード（読み込み）を行う。
【００３２】
Ｓ８０４において、撮影指示の表示を行う。図９は、撮影指示の表示の一例を表す模式図である。表示内容は、撮影枚数７０２、撮影部位７０１、撮影体位７０３、指示図５１１、指示図を使用する上での注意事項５１５、及び、撮影者ＩＤに対する医師からの警告５１７である。注意事項５１５が複数設定されている場合は、使用頻度、あるいは、設定された日時による優先度や、あらかじめ設定した優先度、などをもとに任意数の注意事項５１５を表示する。警告５１７の表示は、Ｓ８０２で認証された撮影者の指示図使用経験、いずれかの撮影者に対する警告の有無、及び、警告を受けた撮影者に応じて変化する。図１０は、警告レベルの変化パターンを表す図の一例である。警告レベル０では、警告５１７は不要であるため、表示を行わない。警告レベル１は、他人が撮影を誤った経験を活かすために、警告５１７を参考として表示する（図９（Ａ））。警告レベル２は、過去に撮影者本人が誤った経験があるため、強調アイコン９０６を併用して撮影者に対して警告する（図９（Ｂ））。図１０に記載されない表示方法として、同一の撮影者に対して複数の警告が付与された場合、最新の警告を表示することで撮影者の学習を反映することができる。
【００３３】
Ｓ８０５において、撮影者は表示された撮影指示に従って撮影を行う。Ｓ８０６において、指示図と撮影画像の比較を行う。指示図、及び、撮影画像は、肌部を露出して撮影される画像である。そこで、まず色分布をもとに肌領域の検出を行い、続いて、画像モーメントやＨｕモーメント不変量などを特徴量に用いて形状比較を行う。また、その他の公知の形状比較手段を用いることが可能である。あるいは、撮影者が目視で指示図５１１と撮影画像を比較しても良い。さらに、前記比較の結果を指示図５１１あるいは撮影画像に付与しても良い。また、前記形状比較は、後述する撮影結果確認時に、クライアント装置１１０によって行うことも可能である。
【００３４】
８０７において、Ｓ８０６によって比較した結果をもとに処理を分岐する。撮影画像が指示図と大きく異なると判定される場合、Ｓ８０８に進む。撮影画像が指示図通りに撮影されていると判定された場合、Ｓ８１１に進む。
【００３５】
Ｓ８０８において、撮影画像が指示図と異なる原因が指示図にあると撮影者が判断した場合には、Ｓ８１０に進み、指示図に対し、対象患者の主訴を付与する。前記原因が指示図に無い場合には、Ｓ８０９に進む。
【００３６】
Ｓ８０９において、前記原因が撮影者自身の撮影ミスであると撮影者が判断した場合、Ｓ８０５に戻り再撮影を行う。前記原因がＳ８０６の判定ミスであると撮影者が判断した場合、Ｓ８１１に進む。
【００３７】
Ｓ８１１において、全ての撮影指示が終了したかどうか判定する。撮影が終了していれば、Ｓ８１２に進む。撮影指示がまだ残っていれば、Ｓ８０４に戻り、残りの撮影を行う。最後に、Ｓ８１２において、撮影画像を画像管理サーバ装置１２０（撮影画像格納部１２２）に格納する。
【００３８】
＜撮影結果確認時の処理＞
図１１は、図２のＳ２０３における撮影結果確認処理の一例を表すフローチャートである。撮影結果確認処理では、撮影画像の確認を行った上で、医師の必要とする画像と異なる撮影画像を撮影した指示図に対して、撮影者ＩＤと関連付けて注意事項を付与する。
【００３９】
まず、Ｓ１１０１において、結果を確認する患者の選択を行う。患者の選択は医師が行うが、患者ＩＤ順、撮影日時順、あるいは、緊急性の高い患者順など、あらかじめ設定した基準で自動選択を行っても良い。
【００４０】
Ｓ１１０２において、選択された患者の撮影画像を表示する。図１２は、撮影画像表示の一例を示す模式図であり、全身シェーマ図と撮影部位を関連付けて撮影画像を重畳表示したものである。同一部位に複数枚の撮影画像がある場合には、全ての画像を並べて表示、撮影画像を重ねて表示、複数画像あることを示すアイコンを表示、階層構造で表示などの表示を行っても良い。さらに撮影画像のみではなく、撮影指示情報、指示図などを表示しても良い。さらに、Ｓ８０６の比較結果を用いて、あるいは、同様の処理を行って、指示図と撮影画像の非類似性をアイコンや枠線の表示によって強調しても良い。
【００４１】
Ｓ１１０３において、医師は、表示された撮影画像が必要とする画像と異なるか否かの判断をし、異なると判断する画像がある場合にはＳ１１０４に進む。全ての撮影画像が必要とする画像に適した画像であれば、閲覧を終了する。
【００４２】
Ｓ１１０４では、必要とする画像と異なる撮影画像の選択をする。続いて、Ｓ１１０５において、前記撮影画像を撮影した際に使用した指示図に対して、その指示図を使用する上での警告５１７を入力（付与）し、撮影者ＩＤと関連付けて指示図情報に保存した後に、閲覧を終了する。
【００４３】
本実施形態によれば、撮影装置１３０による被験者の撮影に際し、撮影者に応じて撮影指示の表示方法を変更することによって、撮影者は医師の必要とする画像を精度良く撮影することができる。さらに、医師の必要とする画像と大きく異なる撮影画像が撮影された場合に、即座に撮影者に再撮影を促すことができる。
【００４４】
〔第２の実施形態〕
第１の実施形態では、医師が撮影指示を与える際に使用する指示図として過去の撮影画像を用いる場合について説明を行ったが、本実施形態は、指示図にシェーマ図、手書き図、ＣＧ画像、あるいは、模型を撮影した画像などを用いる場合を想定した形態である。なお、以下の説明では、第１の実施形態と同様の内容については説明を省略し、異なる部分について説明を行う。
【００４５】
＜撮影時の処理＞
図１３は、図２のＳ２０２における撮影処理の一例を表すフローチャートである。Ｓ１３０１からＳ１３０４は、図８のＳ８０１からＳ８０４と同様の処理であるため説明を省略する。また、Ｓ１３０８、及び、Ｓ１３０９は、図８のＳ８１１、及び、Ｓ８１２と同様の処理であるため説明を省略する。
【００４６】
Ｓ１３０５において、撮影者は、Ｓ１３０４で表示された指示図が患者にとって困難な姿勢を伴う画像か否かを判定する。困難であると判定した場合、Ｓ１３０６に進み、Ｓ８１０と同様に、指示図に対し、被験者である対象患者の主訴を付与する。一方、困難ではないと判定した場合にはＳ１３０７に進む。
【００４７】
本実施形態により、指示図に用いる画像は過去に撮影した撮影画像に限定されずに利用可能となる。これにより、従来の医療用システムで用いられてきたシェーマ図などを有効に活用することが可能である。
【００４８】
〔その他の実施形態〕
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。このプログラム及び当該プログラムを記憶したコンピュータ読み取り可能な記録媒体は、本発明に含まれる。
【００４９】
なお、上述した本発明の実施形態は、いずれも本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【００５０】
１００  撮影処理システム
１１０  クライアント装置
１２０  画像管理サーバ装置
１３０  撮影装置
【図１】
2015172891.tif 000003
【図２】
2015172891.tif 000004
【図３】
2015172891.tif 000005
【図４】
2015172891.tif 000006
【図５】
2015172891.tif 000007
【図６】
2015172891.tif 000008
【図７】
2015172891.tif 000009
【図８】
2015172891.tif 000010
【図９】
2015172891.tif 000011
【図１０】
2015172891.tif 000012
【図１１】
2015172891.tif 000013
【図１２】
2015172891.tif 000014
【図１３】
2015172891.tif 000015